(57)【特許請求の範囲】
【請求項１】
第一の筐体又は第二の筐体をスライドさせて開閉するスライド式無線端末装置であって、
前記第一の筐体に設けられ前記第二の筐体のガイド部材と係合して摺動する導電性の摺動部材を有し、
前記摺動部材を前記第一の筐体の配線基板の接地配線に接続すると共に、前記摺動部材を前記第一の筐体の配線基板と前記第二の筐体の配線基板との間で前記第一の筐体に設けられたアンテナと対向する位置まで延出させた
ことを特徴とするスライド式無線端末装置。
【請求項２】
請求項１記載のスライド式無線端末装置において、
前記摺動部材と前記第一の筐体の配線基板の接地配線との間に位相調整用の電子部品を設けた
ことを特徴とするスライド式無線端末装置。
【発明の詳細な説明】
【技術分野】
【０００１】
本発明は、スライド式無線端末装置に関する。
【背景技術】
【０００２】
固定部筐体と可動部筐体の２つの筐体を有し、固定部筐体に対して可動部筐体がスライドする構造を有するスライド式無線端末装置が従来から知られている。
【０００３】
図１（Ａ），（Ｂ），（Ｃ）にスライド式無線端末装置の一例の筐体閉じ状態の平面図と側面図、筐体開き状態の側面図を示す。スライド式無線端末装置１は固定部筐体２と可動部筐体３を有する。固定部筐体２は電池やアンテナ４を収納している。可動部筐体３は表示部５を有している。
【０００４】
図２（Ａ），（Ｂ）にスライド式無線端末装置の一例の筐体閉じ状態と筐体開き状態の断面図を示す。固定部筐体２の可動部筐体３に接する面にはスライドモジュール７が設けられ、可動部筐体３の固定部筐体２に接する面にはレールプレート８が設けられている。固定部筐体２のスライドモジュール７は可動部筐体３のレールプレート８と係合して可動部筐体３を摺動させることで、スライド式無線端末装置１は図２（Ａ）に示す筐体開き状態から図２（Ｂ）に示す筐体閉じ状態に転じ、また、筐体閉じ状態から筐体開き状態に転じる。従来は、固定部筐体２においてスライドモジュール７の先端は筐体の長手方向であるＹ方向にアンテナ４位置まで延出しておらず、スライドモジュール７がアンテナ４とＺ方向に対向しないように、アンテナ４とスライドモジュール７が配設されている。
【０００５】
ところで、導電性部材を下基板のグランドパターンと電気的に接続し、これを下基板のアンテナ素子が配置された面と対向する面でかつフレキシブルケーブルと容量結合が可能な位置に配置し、下筐体と上筐体が閉じている閉じ状態では導電性部材が、アンテナ素子のグランド板の役割を果たし、下筐体に対して上筐体がスライドしているスライド状態では導電性部材がアンテナ素子のグランド板の役割を果たしフレキシブルケーブルと容量結合させることで、下基板と上基板のそれぞれに流れる電流の位相を同位相とする技術が知られている（例えば特許文献１参照）。
【０００６】
また、アンテナ素子を操作部基板上に形成したスライド式携帯電話が知られている（例えば特許文献２参照）。
【０００７】
また、基板にチップアンテナをアンテナ導体の給電端子側の部分がグランドパターンと重なり、それより先端側の部分がグランドパターンと重ならないように実装し、チップアンテナはミアンダ状アンテナ導体を有し、このミアンダ状アンテナ導体の蛇行ピッチが密な部分の一部又は全部がグランドパターンと重なるように実装する技術が知られている（例えば特許文献３参照）。
【先行技術文献】
【特許文献】
【０００８】
【特許文献１】特開２００９−１９４６８９号公報
【特許文献２】特開２００６−３２５０９８号公報
【特許文献３】特開２００２−３１４３１６号公報
【発明の概要】
【発明が解決しようとする課題】
【０００９】
スライド式無線端末装置は、図１（Ｃ）に示すように、筐体開き状態で固定部筐体２と可動部筐体３の一部が重なっている。筐体電流（又はイメージ電流）が筐体の長手方向に流れる場合、筐体開き状態で固定部筐体２の基板に流れる電流と可動部筐体３の基板に流れる電流の位相が、図３（Ａ）に矢印で示すように同じ向きとなる同相関係であることが理想的である。
【００１０】
これに対し、周波数８００ＭＨｚ帯では、筐体開き状態で固定部筐体２の基板に流れる電流と可動部筐体３の基板に流れる電流の位相が、図３（Ｂ）に矢印で示すように逆相関係になり、送受信特性が劣化することが多々ある。
【００１１】
この場合、固定部筐体２と可動部筐体３の距離を大きくすることで影響は小さくなるが、端末の小型及び薄型化が進んでいるために距離を大きく確保することは商品価値を低減させることになるという問題があった。
【００１２】
開示のスライド式無線端末装置は、筐体開き状態での送受信特性の劣化を低減することを目的とする。
【課題を解決するための手段】
【００１３】
開示の一実施形態によるスライド式無線端末装置は、第一の筐体又は第二の筐体をスライドさせて開閉するスライド式無線端末装置であって、
前記第一の筐体に設けられ前記第二の筐体のガイド部材と係合して摺動する導電性の摺動部材を有し、
前記摺動部材を前記第一の筐体の配線基板の接地配線に接続すると共に、前記摺動部材を前記第一の筐体の配線基板と前記第二の筐体の配線基板との間で前記第一の筐体に設けられたアンテナと対向する位置まで延出させた。
【発明の効果】
【００１４】
本実施形態によれば、筐体開き状態での送受信特性の劣化を低減することができる。
【図面の簡単な説明】
【００１５】
【図１】スライド式無線端末装置の一例の平面図と側面図である。
【図２】スライド式無線端末装置の一例の筐体閉じ状態と筐体開き状態の断面図である。
【図３】固定部筐体と可動部筐体に流れる電流の位相を示す図である。
【図４】スライド式無線端末装置の一実施形態の斜視図，平面図，側面図である。
【図５】スライド式無線端末装置の一実施形態の斜視図，平面図，側面図である。
【図６】スライド式無線端末装置の第１実施形態の断面図である。
【図７】スライド式無線端末装置の固定部筐体の第１実施形態の平面図である。
【図８】スライド式無線端末装置の第２実施形態の断面図である。
【図９】固定部筐体をフロント側から見た平面図である。
【図１０】図９からスライドモジュールを取り除いた平面図である。
【図１１】リア半体を取り除いた固定部筐体をフロント側から見た平面図である。
【図１２】図１１からフロント半体を取り除いた平面図である。
【図１３】図１１からフロント半体を取り除いた平面図である。
【図１４】アンテナの周波数・ＶＳＷＲ特性図である。
【図１５】スライド式無線端末装置の第２実施形態の変形例の断面図である。
【図１６】配線基板の一部の平面図である。
【発明を実施するための形態】
【００１６】
以下、図面に基づいて実施形態を説明する。
【００１７】
＜スライド式無線端末装置の形状＞
図４（Ａ），（Ｂ），（Ｃ）に筐体閉じ状態におけるスライド式無線端末装置の一実施形態の斜視図，平面図，側面図を示し、図５（Ａ），（Ｂ），（Ｃ）に筐体開き状態におけるスライド式無線端末装置の一実施形態の斜視図，平面図，側面図を示す。
【００１８】
本実施の形態におけるスライド式無線端末装置は、第一の筐体と第二の筐体を備えるものとする。図４及び図５において、スライド式無線端末装置１１は第一の筐体である固定部筐体１２と第二の筐体である可動部筐体１３を有する。固定部筐体１２はフロント半体１２ａとリア半体１２ｂを有し、電池やアンテナを収納し第１操作部１５ａを有している。可動部筐体１３はフロント半体１３ａとリア半体１３ｂを有し、表示部１５ｂ及び第２操作部１５ｃを有している。
【００１９】
＜第１実施形態＞
図６はスライド式無線端末装置の第１実施形態の断面図を示し、図７はスライド式無線端末装置の固定部筐体１２の第１実施形態の平面図を示す。
【００２０】
図６において、固定部筐体１２の可動部筐体１３に接するフロント半体１２ａの外側には金属製等のスライドモジュール１７が設けられ、可動部筐体１３の固定部筐体１２に接するリア半体１３ｂにはレールプレート１８が設けられている。また、固定部筐体１２内には配線基板２０が収納され、可動部筐体１３内には配線基板２４が収納されている。固定部筐体１２のスライドモジュール１７は可動部筐体１３のレールプレート１８と係合して可動部筐体１３をスライドつまり摺動させることで、スライド式無線端末装置１１は筐体開き状態から筐体閉じ状態に転じ、また、筐体閉じ状態から筐体開き状態に転じる。
【００２１】
図６及び図７において、固定部筐体１２においてスライドモジュール１７の先端は筐体の長手方向であるＹ１方向にアンテナ１４位置まで延出し、固定部筐体１２と可動部筐体１３の間で、スライドモジュール１７の一部もしくは全部がアンテナ１４と筐体の厚さ方向であるＺ１方向に対向するように、アンテナ１４とスライドモジュール１７が配設されている。また、スライドモジュール１７は金属ネジ等の接続部材１９によって固定部筐体１２内に収納された配線基板２０の接地配線パターンと接続されている。
【００２２】
可動部筐体１３に最も接近した固定部筐体１２の金属はスライドモジュール１７であり、スライドモジュール１７と可動部筐体１３内に収納された配線基板の位置関係と、スライドモジュール１７の面積によって、固定部筐体１２内の配線基板２０と可動部筐体１３内の配線基板それぞれに流れる筐体電流（又はイメージ電流）の位相が決定される。
【００２３】
ここで、スライドモジュール１７は例えば摺動部材に対応し、レールプレート１８は例えばガイド部材に対応する。
【００２４】
従来は図２に示すように、スライドモジュール７の先端をアンテナ４位置まで延出せず、スライドモジュール７がアンテナ４とＺ方向に対向しないようにして、スライドモジュール７と可動部筐体３内の配線基板の電磁的な結合を小さくしている。
【００２５】
これに対し、本実施形態ではスライドモジュール１７の一部をアンテナ１４と対向するようにし、かつ、スライドモジュール１７を配線基板２０の接地配線パターンと接続することで、スライドモジュール１７をアンテナ１４と電磁的に結合させている。そして、スライドモジュール１７と配線基板２０の接地配線パターンをアンテナ１４から電圧給電することにより新たな共振を発生させる。スライドモジュール１７とアンテナ１４の結合量やスライドモジュール１７の面積を変えることで共振周波数を調整し所望の周波数で新たな共振を発生させる。上記新たな共振により、筐体開き状態では固定部筐体１２の配線基板２０に流れる電流と可動部筐体１３の配線基板に流れる電流の位相が同相となるようにしている。
【００２６】
このとき、アンテナ１４とスライドモジュール１７の対向面積が重要なパラメータとなり、対向面積が大きいほど電磁的な結合量が大きくなり、筐体開き状態での特性が改善する。なお、結合量をあまり大きくし過ぎると筐体閉じ状態の特性が劣化する。これは、スライドモジュール１７が筐体閉じ状態では接地（ＧＮＤ）に見えるからである。このため、筐体開き状態と筐体閉じ状態の双方で良好な特性を得られる結合量に設定する。更に、接続部材１９のＹ１方向の位置を変更することによっても、共振周波数を調整することができる。
【００２７】
＜第２実施形態＞
図８は第一の筐体と第二の筐体を有するスライド式無線端末装置の第２実施形態の断面図を示す。図８において、第一の筐体である固定部筐体１２の第二の筐体である可動部筐体１３に接するフロント半体１２ａの外側には銅テープ２１が設けられると共に金属製のスライドモジュール２２が設けられている。銅テープ２１とスライドモジュール２２は電気的に接続されている。また、固定部筐体１２内には配線基板２０が収納され、可動部筐体１３内には配線基板２４が収納されている。
【００２８】
可動部筐体１３の固定部筐体１２に接するリア半体１３ｂにはレールプレート１８が設けられている。固定部筐体１２のスライドモジュール２２は可動部筐体１３のレールプレート１８と係合して可動部筐体１３を摺動させることで、スライド式無線端末装置１１は筐体開き状態から筐体閉じ状態に転じ、また、筐体閉じ状態から筐体開き状態に転じる。
【００２９】
固定部筐体１２においてスライドモジュール２２に接続された銅テープ２１の先端は筐体の長手方向であるＹ１方向にアンテナ１４位置まで延出し、固定部筐体１２と可動部筐体１３の間で、銅テープ２１の一部もしくは全部がアンテナ１４とＺ１方向に対向するように、アンテナ１４と銅テープ２１が配設されている。また、スライドモジュール２２は金属ネジ等の接続部材１９によって固定部筐体１２内に収納された配線基板２０の接地配線パターンと接続されている。ここで、銅テープ２１は例えば導電性テープに対応する。
【００３０】
第１実施形態ではスライドモジュール１７の大きさを調整したが、実際には、強度の制約もあり、スライドモジュール１７の大きさの調整は難しい。このため、第２実施形態では、別の金属部品として銅テープ２１を追加してスライドモジュール２２に接続することで、電気的にスライドモジュール１７を大きく見せている。銅テープ２１は大きさを自由に変えることができ、設計の自由度が向上する。この実施形態においても、接続部材１９のＹ１方向の位置を変更することによっても、共振周波数を調整することができる。
【００３１】
＜第２実施形態の詳細＞
図９は固定部筐体１２をフロント側（図５（Ａ）における矢印Ｚ１方向）から見た平面図を示す。図９において、フロント半体１２ａの外側表面には銅テープ２１が貼着されている。更に、銅テープ２１の一部と対向し接続される位置に金属製のスライドモジュール２２が設けられ、フロント半体１２ａにネジ止めされている。
【００３２】
図１０は図９からスライドモジュール２２を取り除いた平面図を示す。図１０において、銅テープ２１は矩形状の本体部２１ａから筐体長手方向である矢印Ｙ２方向に延びる突起部２１ｂを有している。銅テープ２１は本体部２１ａをフロント半体１２ａに貼着されると共に、突起部２１ｂをスライドモジュール２２に接着され、銅テープ２１とスライドモジュール２２は電気的に接続されている。なお、銅テープ２１をフロント半体１２ａの内側表面に貼着し、スライドモジュール２２をフロント半体１２ａに固定する金属ネジ等によって、銅テープ２１とスライドモジュール２２とを電気的に接続する構成であっても良い。
【００３３】
また、フロント半体１２ａに穿設された溝２３ａ，２３ｂそれぞれにはスライドモジュール２２の脚部２２ａ，２２ｂの一部が係合した状態で位置決めされてスライドモジュール２２がフロント半体１２ａに固定される。
【００３４】
図１１はリア半体１３ｂを取り除いた固定部筐体１２をフロント側（図５（Ａ）における矢印Ｚ２方向）から見た平面図を示す。
【００３５】
図１１において、周波数８００ＭＨｚ帯のアンテナ２５は固定部筐体１２の上辺部に配置されてフロント半体１２ａに固定されている。なお、アンテナ２５は図６乃至図８におけるアンテナ１４に対応する。周波数２ＧＨｚ帯のアンテナ２６は固定部筐体１２の右辺部上部側に配置されてフロント半体１２ａに固定されている。また、二次電池２７は固定部筐体１２の中央から下部に配置されている。
【００３６】
図１２及び図１３は図１１からフロント半体１２ａと配線基板２０の一部を取り除いた平面図を示す。図１２及び図１３ではフロント半体１２ａを取り除いたことで、銅テープ２１とスライドモジュール２２が覗出している。
【００３７】
図１２において、銅テープ２１は本体部２１ａの縦方向長さつまり筐体の長手方向長さはＹａとされ、本体部２１ａの上端部がアンテナ２５の一部と対向するようにされている。これに対し、図１３において、銅テープ２１は本体部２１ａの縦方向長さはＹｂ（Ｙｂ＞Ｙａ）とされ、本体部２１ａの上端部が筐体の長手方向についてアンテナ２５のほぼ全体と対向するようにされている。なお、図１２及び図１３では配線基板２０の一部を取り除いているが、例えばネジ穴２８ａ，２８ｂを貫通する金属ネジによってスライドモジュール２２がフロント半体１２ａに固定されると共に、スライドモジュール２２と配線基板２０の接地配線パターンとが接続される。
【００３８】
このように、銅テープ２１の本体部２１ａの縦方向長さを変化させてアンテナ２５と銅テープ２１の電磁的な結合量を調整することができる。なお、銅テープ２１の本体部２１ａの横方向長さを変化させてアンテナ２５と銅テープ２１の結合量を調整することも可能である。
【００３９】
図１４に、図９乃至図１２で示した実施形態における筐体開き状態でのアンテナ２５の周波数・ＶＳＷＲ（Ｖｏｌｔａｇｅ  Ｓｔａｎｄｉｎｇ  Ｗａｖｅ  Ｒａｔｉｏ：電圧定在波比）特性を実線で示す。なお、破線は従来のスライド式無線端末装置の筐体開き状態でのアンテナ４の周波数・ＶＳＷＲ特性を示している。実線で示す本実施形態の特性は周波数８００ＭＨｚ近傍に新たな共振が発生し、周波数８００ＭＨｚ近傍の周波数・ＶＳＷＲ特性が向上している。
【００４０】
＜第２実施形態の変形例＞
図１５はスライド式無線端末装置の第２実施形態の変形例の断面図を示す。図１５において、固定部筐体１２の可動部筐体１３に接するフロント半体１２ａの外側には銅テープ２１が設けられると共に金属製のスライドモジュール２２が設けられている。銅テープ２１とスライドモジュール２２は電気的に接続されている。固定部筐体１２においてスライドモジュール２２に接続された銅テープ２１の先端は筐体の長手方向であるＹ１方向にアンテナ１４位置まで延出し、銅テープ２１の一部もしくは全部がアンテナ１４とＺ１方向に対向するように、アンテナ１４と銅テープ２１が配設されている。また、スライドモジュール２２は金属ネジ３１によってフロント半体１２ａに固定されている。また、金属ネジ３１と配線基板２０のランドパターンとの間は金属バネ等の接続部材３２によって接続されている。
【００４１】
図１６（Ａ），（Ｂ）に配線基板２０の一部の平面図を示す。図１６（Ａ）において、配線基板２０のフロント半体１２ａに対向する面にはランドパターン３３が設けられている。ランドパターン３３には接続部材３２の一端が接触する。このランドパターン３３は図示しない接地配線パターンに接続されている。
【００４２】
第１実施形態又は第２実施形態のように、スライドモジュール１７又は銅テープ２１の形状を変化させることで、筐体開き状態と筐体閉じ状態の双方で良好な特性を得られる結合量に設定できない場合には、図１６（Ｂ）に示す電子部品３５を使用する。
【００４３】
図１６（Ｂ）において、配線基板２０のフロント半体１２ａに対向する面にはランドパターン３４が設けられている。ランドパターン３４には接続部材３２の一端が接触する。このランドパターン３４はコイル又はコンデンサ等の位相調整用の電子部品３５を介して接地配線パターン３６に接続されている。この場合、電子部品３５のインダクタンス又は静電容量を付加することで、筐体開き状態と筐体閉じ状態の双方で良好な特性を得られる結合量に設定することができる。なお、ここでは、第２実施形態の変形例として説明したが、第１実施形態においても、図１６（Ｂ）に示すような構成としても良いことはもちろんである。
【符号の説明】
【００４４】
１１  スライド式無線端末装置
１２  固定部筐体
１２ａ  フロント半体
１２ｂ  リア半体
１３  可動部筐体
１３ａ  フロント半体
１３ｂ  リア半体
１４  アンテナ
１５ａ  第１操作部
１５ｂ  表示部
１５ｃ  第２操作部
１７，２２  スライドモジュール
１８  レールプレート
１９，３２  接続部材
２０，２４  配線基板
２１  銅テープ
３１  金属ネジ
【図１】
0005682238.tif 000002
【図２】
0005682238.tif 000003
【図３】
0005682238.tif 000004
【図４】
0005682238.tif 000005
【図５】
0005682238.tif 000006
【図６】
0005682238.tif 000007
【図７】
0005682238.tif 000008
【図８】
0005682238.tif 000009
【図９】
0005682238.tif 000010
【図１０】
0005682238.tif 000011
【図１１】
0005682238.tif 000012
【図１２】
0005682238.tif 000013
【図１３】
0005682238.tif 000014
【図１４】
0005682238.tif 000015
【図１５】
0005682238.tif 000016
【図１６】
0005682238.tif 000017